(57)【要約】【課題】ポンプ進水切り換え装置の提供。【解決手段】本考案のポンプ進水切り換え装置は、特に、水道水をポンプで給水加圧使用し、ポンプ管路が釈放した水流を安全に回収して循環使用するポンプ進水切り換え装置設計に関し、主に、ポンプの給水管路上にタンクを設置し、タンク底部の回水口はポンプ釈放回流水路を連接し、タンクは浮き球を内置して水道水の進水口の開閉を制御し、出水水管はポンプ給水口に連接され、直接、水道水から給水するか、或いは、タンク内部の貯水が設定水位に達する時、浮き球により水道水の進水口を閉鎖して、タンク内からの給水に自動的に切り換え、ポンプが釈放する水流の回収循環使用を達成する。【選択図】    図１
0003148734.tif 000002
【実用新案登録請求の範囲】
【請求項１】
ポンプ進水切り換え装置であって、増圧用ポンプと貯水用タンクからなり、タンク内に一組の液位制御用の浮き球と圧力放出用の回水管道を有し、その特徴は、前記ポンプ給水端に前記タンクを設置し、前記タンク底部は回水口を有し、前記ポンプの回流管と連通し、前記タンク頂端一側は給水口を有し、給水管路を連接し、内部は連通管により前記タンク内部に連接され、前記連通管頂段内に塞棒を設置し、棒体外環面は弾性素子を設置し、一端の密封環を推頂し、管内をほぼ密封の状態にし、前記塞棒穿出端と前記浮き球のアームが連接し、前記浮き球により、前記塞棒の滑移を制御し、前記給水口の進水操作を制御し、また、前記連通管側辺は前記ポンプと連接する出水口を有し、前記ポンプの給水管路を形成すると共に、前記連通管底部に前記タンク底部に延伸する一段の延長管を鎖接し、底端は簡易逆流防止バルブにより封閉し、単一方向の連通設計を形成し、前記タンク内の貯水が上昇して、前記浮き球を上移させ、前記塞棒が水道水の口部を封閉し、給水を中断させ、前記ポンプが再度起動すると、自動的に、タンク内からの給水操作に切り換えることを特徴とするポンプ進水切り換え装置。
【請求項２】
前記連通管はT字型設計であることを特徴とする請求項１に記載のポンプ進水切り換え装置。
【請求項３】
前記タンク頂部一側に排気用通気口を設置することを特徴とする請求項１に記載のポンプ進水切り換え装置。
【請求項４】
前記タンク底に排水口を設置することを特徴とする請求項１に記載のポンプ進水切り換え装置。
【請求項５】
前記バルブ底端はフィルター缶を設置することを特徴とする請求項１に記載のポンプ進水切り換え装置。
【考案の詳細な説明】
【技術分野】
【０００１】
本考案は、ポンプ進水切り換え装置に関するものであって、ポンプ加圧給水切り換え、及び、釈放回水循環使用の構造装置に改良に関し、主に、給水装置の進水端にタンクを設置し、タンク内は、浮き球により、水道水の進水口の開閉を制御し、水道水、或いは、タンク内の貯水から給水するのを自動的に切り換え、ポンプ加圧中断時、回水が、快速に圧力を釈放して回収され、循環使用できるポンプ進水切り換え装置に関するものである。
【背景技術】
【０００２】
一般の高圧噴霧構造の給水管設計は、通常、水道水、或いは、貯水槽からポンプで給水するための連接となり、高圧水流の出水中断時、管路内圧が高いので、出力末端は内圧により水滴が落ちることがある。よって、通常、流通管路上にバルブを設置して、適時に、管路の内部圧力を釈放して、ポンプ運転停止、或いは、出水端閉鎖後、管内高圧水流の圧力釈放操作を行い、直接、管路を外側に連接して排出する。しかし、この釈放操作は、環境を汚染する疑いがあり、一般の釈放水を直接、水溝に放流させることも、水資源の浪費である。
【考案の開示】
【考案が解決しようとする課題】
【０００３】
本考案の目的は、上述の問題を解決するポンプ進水切り換え装置を提供することにある。
【課題を解決するための手段】
【０００４】
本考案のポンプ進水切り換え装置は、直接、タンクを装着し、高圧管路中で釈放された水を回収し、浮き球により水道水の給水口の開閉を制御して、ポンプ給水の自動切り換えを実行し、ポンプの高圧出力給水の安全を確保し、釈放水流の回収により、高圧ポンプの増圧出力操作制御が安全で、且つ、環境に配慮した経済実用目的を達成する。
【考案の効果】
【０００５】
本考案は、ポンプ給水の自動切り換えを可能にし、ポンプの高圧出力給水の安全を確保し、釈放水流の回収により、高圧ポンプの増圧出力操作制御が安全で、且つ、環境に配慮した経済実用目的を達成する。
【考案を実施するための最良の形態】
【０００６】
本考案のポンプ進水切り換え装置は、水道水をポンプ給水供給とし、及び、ポンプ使用後、圧力放出で水が回収され、貯水量が設定水量に達する時、自動的に、ポンプの給水操作を切り換える構造設計である。自動切り換え給水構造は、図１〜図７を参照する。主に、ポンプ（１０）給水端は貯水用のタンク（１１）を設置し、タンク内部頂端一側は給水口（１２）を有し、水道水の給水管路（１３）と連接し、給水口（１２）内部がタンク内部に連通して、T字型の連通管（１４）によりタンク内底部に連接され、その頂端と給水口（１２）が連通する管内は塞棒（１５）を穿設し、棒体外環面上は弾性素子（１６）を設置し、一端の密封環（１７）を推頂し、連通管（１４）内がほぼ密封の状態になる。塞棒（１５）は連通管（１４）外側を穿出し、浮き球（２０）のアーム（２１）と連接し、浮き球（２０）の浮遊動作により、塞棒（１５）の伸縮滑移を達成し、内側に滑移する時、同時に、給水口（１２）内縁を塞いで、進水を中止させる。また、連通管（１４）の一側中段は出水口（２２）を有し、ポンプ（１０）と連接し、ポンプの給水管路を形成すると共に、連通管（１４）底部にタンク（１１）底部に延伸する一段の延長管（２３）を鎖接し、底端は簡易逆流防止バルブ（２４）を設置して、底端と連接するフィルター缶（２５）の頂端を封閉し、連通管（１４）と単一方向の連通設計を形成し、連通管（１４）は、フィルター缶（２５）のろ過とバルブ（２４）の単一方向の封閉により、タンク（１１）内部の貯水が一定高度に達する時、浮き球（２０）が適当な高度に上昇すると、塞棒（１５）を推動して滑移させ、水道水の口部を封閉し、給水を中断させる。ポンプ（１０）が再度起動すると、底部の貯水がフィルター缶（２５）によりろ過され、ポンプ（１０）が簡易逆流防止バルブ（２４）を開放して、タンク（１１）内部からの給水操作を起動し、これにより、ポンプ（１０）の自動切り換え操作を達成する。
【０００７】
タンク（１１）の底部は、それぞれ、排水口（２６）、及び、水回収用の回水口（２７）を設置し、頂部もう一側は、更に、排気用の通気口（２８）を設置し、タンク（１１）内圧を平衡にすると共に、ポンプ（１０）の回流管（２９）と回水口（２７）の連接により、釈放水流が、簡単、且つ、安全にタンク（１１）内に回収、貯水され、給水と回水システムが、連通する管路内部に完全に封閉され、環境衛生使用の目標が達成され、ポンプ（１０）全体の加圧給水と排水が完璧な給水システム連結を形成し、ポンプ（１０）加圧使用が真の安全衛生を達成する。
【０００８】
加圧給水の自動切り換え設計は、直接、ポンプ（１０）構造の座体上に設置し、空間を占有することなく、管路配置が短く、簡潔で、ポンプ（１０）がはじめて加圧使用される時、水道水の水源が開いて、水流が直接、給水口（１２）から進入し、この時、浮き球（２０）はタンク内の連通管（１４）に貼接する平行位置に落ちるので、塞棒（１５）はタンク内側から引き出され、管路全体と連通管（１４）が連通し、水流が給水口（１２）に流入した後、連通管（１４）から直接、ポンプ（１０）の加圧室に流入し、この時、ポンプ（１０）を起動させて、加圧出力の安全操作を実行する（図３、図４で示される）。ポンプ（１０）が運転を停止して、給水が中止されると、管内に残留した高圧水流は、圧力釈放装置の制御により、回流管（２９）から直接、タンク（１１）の内部の戻り、図５で示されるように、回収した水流量が設定された高度に達すると、浮き球（２０）の上移により、塞棒（１５）を連動して給水口（１２）に滑移し、水道水の進水口縁を封閉して、給水を中断する。この時、再度、ポンプ（１０）を起動して増圧操作する時、連通管（１４）内部に充満した水流により、ポンプ（１０）が吸い上げ操作し、連通管（１４）底縁と連通する逆流防止バルブ（２４）が開放され、タンク（１１）内の貯水は、フィルター缶（２５）によりろ過され、ポンプ（１０）の加圧室内に安全に流れ、給水自動切り換えにより、タンク（１１）内部から給水されるようになる（図６、図７で示される）。タンク（１１）内の水位がポンプ（１０）の吸い取りにより下移した後、浮き球（２０）は水位に伴って下降し、塞棒（１５）が元の位置に戻り、同時に、水道水の給水口（１２）を開放し、水道水の給水操作を始める。相対する給水量に達する時、逆流防止バルブ（２４）は、再度、底部のフィルター缶（２５）の頂縁に落下し、給水が完全に水道水からの供給になり、ポンプ（１０）の加圧操作に影響せず、完全に自動的に給水の切り換え操作が実行できる。回水の集中貯水、及び、浮き球（２０）の塞棒（１５）自動制御により、水道水の供給自動操作を達成し、ポンプ（１０）の増圧操作が安全に行われる。
【図面の簡単な説明】
【０００９】
【図１】本考案のポンプ給水タンク構造の立体分解図である。
【図２】本考案のポンプ給水タンクの組み立て外観参考図である。
【図３】本考案のポンプ増圧により水道水で給水する使用平面図である。
【図４】図３の給水操作の平面拡大図である。
【図５】ポンプ使用後、圧力釈放で水を回収する参考図である。
【図６】本考案ポンプ増圧によりタンクで給水する使用平面図である。
【図７】図６の給水操作の平面拡大図である。
【符号の説明】
【００１０】
ポンプ（１０）
タンク（１１）
給水口（１２）
給水管路（１３）
連通管（１４）
塞棒（１５）
弾性素子（１６）
密封環（１７）
浮き球（２０）
アーム（２１）
出水口（２２）
延長管（２３）
簡易逆流防止バルブ（２４）
フィルター缶（２５）
排水口（２６）
回水口（２７）
通気口（２８）
回流管（２９）
【図１】
0003148734.tif 000003
【図２】
0003148734.tif 000004
【図３】
0003148734.tif 000005
【図４】
0003148734.tif 000006
【図５】
0003148734.tif 000007
【図６】
0003148734.tif 000008
【図７】
0003148734.tif 000009